(57)【要約】【課題】  従来の空気調和機の電気品箱は、その背面壁（底部）と本体筐体の背面壁が接するように固定され、収納する基板のサイズによって形状の異なる電気品箱を同一の本体筐体に固定することができない問題点があった。また、基板サイズを大きくする場合には奥行き方向の手前側しか変更できず、手前側には係止部品が設けられているため、基板の形状変更も規制されるという問題点があった。【解決手段】  空気調和機の本体筐体内に収納される電気品箱の取り付け構造において、本体筐体に電気品箱と係合する係合部と、電気品箱に設けられた段差部が当接して電気品箱の背面壁と本体筐体の背面壁を所定の空間距離を保って配置した受け部とを備えたものである。【選択図】        図１
2005180811.tif 000002
【特許請求の範囲】
【請求項１】
空気調和機の本体筐体内に収納される電気品箱の取り付け構造において、前記本体筐体に前記電気品箱と係合する係合部と、前記電気品箱に設けられた段差部が当接して電気品箱の背面壁と本体筐体の背面壁を所定の空間距離を保って配置する受け部とを備えたことを特徴とする空気調和機の電気品箱固定装置。
【請求項２】
前記本体筐体の受け部を補強用リブのパネルガイドリブで代替形成して、前記電気品箱の側面を保持する構造としたことを特徴とする請求項１記載の空気調和機の電気品箱固定装置。
【請求項３】
前記本体筐体の受け部に突起を有するＵ字の切欠き部を設けたことを特徴とする請求項１記載の空気調和機の電気品箱固定装置。
【請求項４】
前記段差部の代わりに、前記電気品箱の側面にフランジを設けたことを特徴とする請求項１記載の空気調和機の電気品箱固定装置。
【発明の詳細な説明】
【技術分野】
【０００１】
この発明は、空気調和機、特に室内ユニットに設けられる電気品箱の固定装置に関するものである。
【背景技術】
【０００２】
従来の空気調和機の電気品箱を筐体に固定する取り付け構造は、電気品箱の背面壁（底部）と本体筐体の背面壁が接して取り付けられるように、電気品箱の対向した上下面と筐体側に設けた爪係合により固定している（例えば、特許文献１参照。）。
【０００３】
【特許文献１】特開平１１−１７３５９８号公報（第３−４頁、第２図）
【発明の開示】
【発明が解決しようとする課題】
【０００４】
従来の空気調和機の電気品箱固定装置は、電気品箱の背面壁（底部）と本体筐体の背面壁が接するように固定されていたため、同一の本体筐体で形状の異なる電気品箱を固定することができないという問題点があった。
また、電気品箱の背面壁と本体筐体の背面壁が接するように固定しており、本体筐体に前面から取り付けられる吸込み口や表示部などを備えた前面パネルは、電気品箱に設けられたスイッチ等の規制により位置が規制されていた為、電気品箱内に収納される基板を変更すると電気品箱内の基板と電気品箱の形状寸法変更に伴い、前面パネルも形状変更をする必要性が発生するという問題点があった。
また、電気品箱内の基板を大きく変更しようとした場合、電気品箱の背面壁と本体筐体の背面壁が接するように固定されているので、奥行き方向の手前側しか変更できず、手前側には係止部品が設けられている為、基板の形状変更も規制されるという問題点があった。
【０００５】
この発明は、上記のような課題を解決するためになされたもので、第１の目的は異なった形状の電気品箱を一つの本体筐体に共用して固定することができる空気調和機の電気品箱固定装置を得るものである。
また、第２の目的は前面パネルを形状変更することなく、基板を変更することができる空気調和機の電気品箱固定装置を得るものである。
また、第３の目的は、基板を大きく変更する際、係止部品等による規制にとらわれることなく基板を変更することができる空気調和機の電気品箱固定装置を得るものである。
【課題を解決するための手段】
【０００６】
この発明に係る空気調和機の電気品箱固定装置は、空気調和機の本体筐体に収納される電気品箱の取り付け構造において、前記本体筐体に前記電気品箱と係合する係合部と、前記電気品箱に設けられた段差部が当接して電気品箱の背面壁と本体筐体の背面壁を所定の空間距離を保って配置する受け部とを備えたものである。
【発明の効果】
【０００７】
この発明の空気調和機の電気品箱固定装置は、本体筐体に電気品箱と係合する係合部と、電気品箱に設けられた段差部が当接して電気品箱の背面壁と本体筐体の背面壁を所定の空間距離を保って配置する受け部とを備えたので、形状の異なる電気品箱を同一の本体筐体で固定できるという効果を有する。
また、電気品箱に収納する基板を大きく変更しようとする際、本体筐体に前方から組み付ける前面パネルを形状変更することなく、この基板を変更することができるという効果を有する。
更に電気品箱に挿入して収納する基板の奥側を変更することがことができる為、係止部品等による規制にとらわれることなく、基板を最大限大きく変更することができるという効果を有する。
【発明を実施するための最良の形態】
【０００８】
実施の形態１．
図１はこの発明の実施の形態１における空気調和機の本体筐体への電気品箱の組み込み状態を示す側面図、図２は図１の断面Ａ−Ａである電気品箱の組み込み状態の断面図を示すものである。
これらの図において、空気調和機の室内ユニットにおける本体筐体１には、室内熱交換器や送風ファン等が設置されて風路を構成する部分と、空気調和機を運転制御するための電気部品が基板７に実装された制御装置を挿入して収納した電気品箱を収納設置する部分とを有している。この電気品箱２の上部と側面壁にそれぞれ固定用係止部４ａ，４ｂが設けられるとともに、本体筐体１側にはこれらに対応して逆止係合する固定用引掛け部３ａ，３ｂが設けられている。この固定用引掛け部３と固定用係止部４が係合して係合部を形成している。ここで、図１の側面図では空気調和機の室内ユニットを空調空間の壁に据付けた状態で室内ユニットの上部が図１の上側に対応し、図１上の本体筐体１の右側が据付け壁となる。したがって、本体筐体１のうち、据付け壁側の面を本体筐体の背面壁とし、電気品箱収納状態において前記本体筐体の背面壁に対面する電気品箱の側面を電気品箱の背面壁としている。そして、この電気品箱の背面壁側は基板を箱内に挿入する際には挿入方向からは底部となる。
【０００９】
電気品箱２は手前側（図１または図２の左側で、基板の挿入側）より背面壁側に断面積を小さくして側面に段差部１１を有した形状としている。一方、本体筐体１には、この段差部１１が当接して、電気品箱２の背面壁と本体筐体１の背面壁を一定の距離を保って配置するための受け部５が設けられている。
【００１０】
次に動作について説明する。
このように構成された空気調和機の電気品箱固定装置は、電気品箱２を本体筐体１に固定する際、電気品箱２の段差部１１を受け部５に当接して配することにより、電気品箱２の背面壁（底部）と本体筐体１の背面壁を所定の空間距離を保って配置する。そして、電気品箱２を本体筐体１に配置することにより、電気品箱２の前記固定用係止部４ａ，４ｂが本体筐体１の前記固定用引掛け部３ａ，３ｂとそれぞれ係合して固定保持される。
【００１１】
以上のように、電気品箱２の背面壁（底部）と本体筐体１の背面壁を一定の距離を保って配置するように構成しているので、同一の本体筐体１で電気品箱の段差部１１から背面壁（底部）までの形状の異なった電気品箱２を固定することが可能となる。これにより、電気品箱２に収納する基板７が大小のサイズとなって電気品箱２の形状が複数となっても、段差部１１から背面壁までの寸法を変更するだけで、本体筐体１側の組み込み形状を変える必要がなく、複数種類の本体筐体を製造することなく、共用化が図れて安価となるとともに、組立方も機種によって異なるようなこともなく作業性の改善が図れる空気調和機が得られる。
【００１２】
また、電気品箱内に収納する基板７を変更する際、電気品箱２の段差部１１から背面壁側のサイズを変更して対応できるので、電気品箱２の手前側面に設けるスイッチに影響を受ける前面パネル６を形状変更することなく、基板７を変更することができるという効果を有する。
【００１３】
また、基板７を大きく変更しようとする際、電気品箱２の背面壁（底部）と本体筐体１の背面壁の間にできる空間距離分だけ電気品箱の奥側方向に拡大変更することがことができる為、係止部品等による規制にとらわれることなく、基板７を最大限大きく変更することができるという効果を有する。
【００１４】
上述の図１及び図２では電気品箱２の背面壁と本体筐体１の背面壁の距離を一定に保つため、本体筐体１に受け部５を設けて凹形状の収納部分に電気品箱２を配置するようにしたものであるが、図３の電気品箱の組み込み状態の断面図に示すように、本体筐体１の受け部５を前面パネル６が本体筐体にスムーズに組み合うための補強用リブであるパネルガイドリブ８に設け、このパネルガイドリブで電気品箱の側面を保持する構成としている。
【００１５】
以上のように、本体筐体１の受け部５をリブとすることにより、電気品箱２を受けて取り付け固定するとともに本体筐体１の強度を増し剛性を確保することができる。
【００１６】
また、さらに図４における空気調和機の電気品箱固定装置の斜視図に示すように、本体筐体１の受け部５の面に凸形状の突起１２を有するＵ字の切欠き部９を設けた構成とする。この突起はＵ字の切欠き部９の電気品箱２が取り付く側にあり、切欠き部９は受け部５からＵ字状に切り欠いて形成した弾性体の切欠き部で、前記突起に力がかかった場合に変形して圧力をうけるバネ形状となっている。
【００１７】
このように、本体筐体１の受け部５に突起（凸形状）１２を有するU字の切欠き部９を設けたことにより電気品箱２の固定用引掛け部３と段差部１１との間に生じる寸法や形状のバラつきを吸収することができ、電気品箱２を本体筐体１にガタツキなく、また変形応力を発生させることなく取り付け固定できる効果がある。
【００１８】
また、さらに図５の空気調和機の別の電気品箱固定装置を示す断面図のように、電気品箱２に段差部１１を設ける代わりに電気品箱表面にフランジ１０を設け、本体筐体側の受け部を本体筐体の補強用のパネルガイドリブ８で構成する。
【００１９】
このように、電気品箱２の側表面にフランジ１０を設けて段差部１１を廃止することにより、電気品箱の側面を段差のない一つの平面とでき、そこに収納する基板７を分割することなく１枚の基板で配することができる。
【００２０】
以上のように、大型サイズの電気品箱に合わせて本体筐体側の取り付け受け側寸法形状を定め、電気品箱が奥行き方向に小さい小型サイズの場合は、本体筐体側に設けた受け部にて電気品箱の段差部を受けることにより、同一本体筐体でサイズの異なる電気品箱を組み込み収納固定することが可能となる。
【図面の簡単な説明】
【００２１】
【図１】この発明の実施の形態１における空気調和機の電気品箱固定装置を示す側面図である。
【図２】この発明の実施の形態１における空気調和機の電気品箱固定装置を示す断面図である。
【図３】この発明の実施の形態１における別の空気調和機の電気品箱固定装置を示す断面図である。
【図４】この発明の実施の形態１における空気調和機の電気品箱固定装置を示す斜視図である。
【図５】この発明の実施の形態１におけるさらに別の空気調和機の電気品箱固定装置を示す断面図である。
【符号の説明】
【００２２】
１  本体筐体、  ２  電気品箱、  ３  固定用引掛け部、  ４  固定用係止部、  ５  受け部、  ６  前面パネル、  ７  基板、  ８  パネルガイドリブ、  ９  切欠き部、  １０  フランジ、  １１  段差部、  １２  突起。
【図１】
2005180811.tif 000003
【図２】
2005180811.tif 000004
【図３】
2005180811.tif 000005
【図４】
2005180811.tif 000006
【図５】
2005180811.tif 000007